(57)【要約】【課題】撮像装置に対して、光軸方向に、より精度良く固定される３Ｄコンバージョンレンズを提供することを目的とする。【解決手段】本発明にかかる３Ｄコンバージョンレンズは、光学系と撮像素子とを有する撮像装置に取り付け可能な３Ｄコンバージョンレンズであって、左目用の像を形成するための光を光学系に導く第１の光学系と、右目用の像を形成するための光を光学系に導く第２の光学系とを有する筐体と、筐体を撮像装置に取り付けるための取付部材と、を備え、取付部材は、撮像装置に対して、筐体を光学系の光軸方向に押圧する。【選択図】図１
2013200321.tif 000002
【特許請求の範囲】
【請求項１】
光学系を有する撮像装置に取り付け可能な３Ｄコンバージョンレンズであって、
左目用の像を形成するための光を前記光学系に導く第１の光学系と、右目用の像を形成するための光を前記光学系に導く第２の光学系とを有する筐体と、
前記筐体を前記撮像装置に取り付けるための取付部材と、を備え、
前記取付部材は、前記撮像装置に対して、前記筐体を前記光学系の光軸方向に押圧する、
３Ｄコンバージョンレンズ。
【請求項２】
前記取付部材は第１ネジ部を有し、
前記撮像装置は前記第１ネジ部に係合可能な第２ネジ部を有し、
前記取付部材は、前記第１ネジ部を前記第２ネジ部に対して係合することにより、前記撮像装置に対して、前記筐体を前記光学系の光軸方向に押圧する、
請求項１に記載の３Ｄコンバージョンレンズ。
【請求項３】
前記撮像装置に対して自装置を取り付ける取り付け面に、凸部若しくは凹部を備え、
前記凸部若しくは凹部は、前記撮像装置に設けられた凹部若しくは凸部に係合する、
請求項１又は２に記載の３Ｄコンバージョンレンズ。
【請求項４】
少なくとも２つの前記凸部若しくは凹部を備え、
前記それぞれの凸部若しくは凹部は異なる形状である、
請求項３に記載の３Ｄコンバージョンレンズ。
【発明の詳細な説明】
【技術分野】
【０００１】
本発明は、３Ｄコンバージョンレンズに関する。
【背景技術】
【０００２】
特許文献１は、立体画像撮像用カメラレンズアダプタを開示する。この立体画像撮像用カメラレンズアダプタは、ビデオカメラに固定される。これにより、このビデオカメラは立体画像を撮像できる。
【０００３】
この立体画像撮像用カメラレンズアダプタは、ビデオカメラに対して、ビデオカメラの光軸方向と垂直な方向に設けられた固定ツマミを回すことで固定される。
【先行技術文献】
【特許文献】
【０００４】
【特許文献１】特開２００３−５０４３８号公報
【発明の概要】
【発明が解決しようとする課題】
【０００５】
しかしながら、上記特許文献１に開示されているように、立体画像撮像用カメラレンズアダプタがビデオカメラに対してビデオカメラの光軸方向と垂直な方向に設けられた固定ツマミにより固定されると、立体画像撮像用カメラレンズアダプタをビデオカメラの光軸方向に精度良く固定できない。
【０００６】
本発明は、撮像装置に対して、光軸方向に、より精度良く固定される３Ｄコンバージョンレンズを提供することを目的とする。
【課題を解決するための手段】
【０００７】
上記課題を解決するために、本発明にかかる３Ｄコンバージョンレンズは、光学系と撮像素子とを有する撮像装置に取り付け可能な３Ｄコンバージョンレンズであって、左目用の像を形成するための光を光学系に導く第１の光学系と、右目用の像を形成するための光を光学系に導く第２の光学系とを有する筐体と、筐体を撮像装置に取り付けるための取付部材と、を備え、取付部材は、撮像装置に対して、筐体を光学系の光軸方向に押圧する。
【発明の効果】
【０００８】
本発明によれば、撮像装置に対して、光軸方向に、より精度良く固定される３Ｄコンバージョンレンズを提供できる。
【図面の簡単な説明】
【０００９】
【図１】３Ｄコンバージョンレンズ１００をビデオカメラ本体２００に取り付けた状態を示した斜視図
【図２】３Ｄコンバージョンレンズ１００をビデオカメラ本体２００から取り外した状態を示した斜視図
【図３】３Ｄコンバージョンレンズ１００を取り付けた状態でビデオカメラ本体２００が撮像した画像を示す模式図
【図４】３Ｄコンバージョンレンズ１００を被写体像の入射方向と反対の方向から見た図と、ビデオカメラ本体２００を被写体像の入射方向から見た図とからなる図
【図５】３Ｄコンバージョンレンズ１００の分解斜視図
【図６】３Ｄコンバージョンレンズ１００をビデオカメラ本体２００に取り付けた状態での断面図
【図７】他の実施の形態を説明するための斜視図
【発明を実施するための形態】
【００１０】
本発明を３Ｄコンバージョンレンズ１００に適用した実施の形態について、以下、図面を用いて説明する。
〔実施の形態１〕
〔１．３Ｄカメラの全体構成〕
本実施の形態にかかる３Ｄコンバージョンレンズ１００が取り付けられている３Ｄカメラの全体構成について図１〜３を用いて説明する。図１は、３Ｄコンバージョンレンズ１００をビデオカメラ本体２００に取り付けた状態を示した斜視図である。図２は、３Ｄコンバージョンレンズ１００をビデオカメラ本体２００から取り外した状態を示した斜視図である。図３は、３Ｄコンバージョンレンズ１００を取り付けた状態でビデオカメラ本体２００が撮像した画像を示す模式図である。なお、３Ｄコンバージョンレンズとは、３Ｄ画像における左目用の像を形成するための光をビデオカメラ等の撮像装置の光学系に導く第１の光学系と、右目用の像を形成するための光を光学系に導く第２の光学系とを有するレンズのことをいう。
【００１１】
ビデオカメラ本体２００は、複数のレンズで構成される光学系と、撮像素子と、撮像画像を記録する記録媒体などを備える。ビデオカメラ本体２００は、撮像素子上に結像された画像データを記録媒体に記録できる。また、３Ｄコンバージョンレンズ１００は２系統の光学系を有する。つまり、３Ｄコンバージョンレンズ１００は、左目用の像を形成するための光をビデオカメラ本体２００の光学系に導く第１の光学系と、右目用の像を形成するための光をビデオカメラ本体２００の光学系に導く第２の光学系とを有する。３Ｄコンバージョンレンズ１００が取り付けられたビデオカメラ本体２００は、２系統の光学系を介して入射した右目用の像と、左目用の像とを同時に撮像素子上に結像できる。なお、３Ｄコンバージョンレンズ１００が有する２系統の光学系は、一部レンズを共用してもよいし、全てのレンズを別々に設けてもよい。
【００１２】
ビデオカメラ本体２００は、３Ｄコンバージョンレンズ１００を取り付けた状態で、被写体像を撮像できる。３Ｄコンバージョンレンズ１００を取り付けた状態で撮像された画像は、図３に示すようなものとなる。つまり、３Ｄコンバージョンレンズ１００を取り付けた状態で、ビデオカメラ本体２００は、右目用の画像と左目用の画像とを同時に撮像できる。つまり、３Ｄコンバージョンレンズ１００を取り付けた状態で、ビデオカメラ本体２００は、３Ｄ用の画像を撮像できる。
【００１３】
〔２．３Ｄコンバージョンレンズとビデオカメラ本体との取り付け部分〕
３Ｄコンバージョンレンズ１００とビデオカメラ本体２００との取り付け部分について図４を用いて説明する。図４（ａ）は、３Ｄコンバージョンレンズ１００を被写体像の入射方向と反対の方向から見た図である。図４（ｂ）は、ビデオカメラ本体２００を被写体像の入射方向から見た図である。
【００１４】
３Ｄコンバージョンレンズ１００は、取付ピース１２０を有している。取付ピース１２０には、凸部１２０ｂと凸部１２０ｃとが設けられている。一方、ビデオカメラ本体２００は、前枠２１０を有している。前枠２１０には凹部２１０ｂと凹部２１０ｃとが設けられている。凸部１２０ｂは、凹部２１０ｂに対して嵌合する。また、凸部１２０ｃは、凹部２１０ｃに対して嵌合する。これにより、３Ｄコンバージョンレンズ１００をビデオカメラ本体２００に取り付けた際、３Ｄコンバージョンレンズ１００とビデオカメラ本体２００とのビデオカメラ本体２００の光軸に対する回転方向の角度位置が決まる。なお、本実施の形態において、凸部１２０ｂと凸部１２０ｃとは凸部である。また、凹部２１０ｂと凹部２１０ｃとは凹部である。しかしながら、必ずしもこのような構成である必要はなく、凸部１２０ｂと凸部１２０ｃとが凹部であり、凹部２１０ｂと凹部２１０ｃとが凸部であってもよい。要するに、凸部１２０ｂと凹部２１０ｂとが嵌合でき、凸部１２０ｃと凹部２１０ｃとが嵌合できればよい。
【００１５】
なお、凸部１２０ｂと凸部１２０ｃとは、形状が異なる。図４Ａの方向に垂直な方向の長さにおいて、凸部１２０ｃは凸部１２０ｂよりも長い。また、凸部１２０ｃは凹部２１０ｂに嵌合しない。従って、使用者が３Ｄコンバージョンレンズ１００をビデオカメラ本体２００に対して上下逆さまに取り付けるといった事態を防止できる。
【００１６】
また、３Ｄコンバージョンレンズ１００は、取付ネジ１１０を有している。また、取付ネジ１１０にはネジ部１１０ａが設けられている。なお、ネジ部１１０ａは、雄ネジである。一方、前枠２１０にはネジ部２１０ａが設けられている。なお、ネジ部２１０ａは、雌ネジである。ネジ部１１０ａをネジ部２１０ａに対してネジ嵌合させることにより、３Ｄコンバージョンレンズ１００は、ビデオカメラ本体２００に対してビデオカメラ本体２００の光軸方向に固定される。なお、ネジ部１１０ａを雌ネジとし、ネジ部２１０ａを雄ネジとしてもよい。
【００１７】
〔３．３Ｄコンバージョンレンズの組み立て方法〕
次に３Ｄコンバージョンレンズ１００の組み立て方法について、図５を用いて説明する。図５は、３Ｄコンバージョンレンズ１００の分解斜視図である。まず、取付ネジ１１０を取付ピース１２０の外周部に被せる。取付ネジ１１０を被せた取付ピース１２０をトップケース１６０に対してビス締めする。このとき、取付ネジ１１０は、取付ピース１２０に対してビデオカメラ本体２００の光軸を中心に自由に回転できる。
【００１８】
次に、レンズユニット１３０をトップケース１６０に対してビス締めする。なお、レンズユニット１３０は、左目用の像を形成するための光をビデオカメラ本体２００の光学系に導く第１の光学系と、右目用の像を形成するための光をビデオカメラ本体２００の光学系に導く第２の光学系とを有する。
【００１９】
次に、フロントケース１５０をトップケース１６０に対して嵌合する。フロントケース１５０をトップケース１６０に嵌合した状態で、ボトムケース１４０をトップケース１６０に嵌合する。この状態で、ボトムケース１４０をトップケース１６０に対してビス締めする。これにより、フロントケース１５０は、ボトムケース１４０とトップケース１６０とで挟まれた状態で固定される。これにより、３Ｄコンバージョンレンズ１００が完成する。
【００２０】
〔４．３Ｄコンバージョンレンズとビデオカメラ本体との取り付け状態〕
次に３Ｄコンバージョンレンズ１００とビデオカメラ本体２００との取り付け状態について、図６を用いて説明する。図６は、３Ｄコンバージョンレンズ１００をビデオカメラ本体２００に取り付けた状態での断面図である。この断面図は、３Ｄコンバージョンレンズ１００が取り付けられたビデオカメラ本体２００を図４Ａに示す位置で切断した断面の一部を示している。
【００２１】
ネジ部１１０ａをネジ部２１０ａに対してネジ嵌合していくと、取付ネジ１１０のうちの当て面１１０ｄが、トップケース１６０のうちの固定部１６０ｄをビデオカメラ本体２００の光軸方向に押圧する。さらに、ネジ嵌合を進めると、固定部１６０ｄが前枠２１０のうちの当て面２１０ｄをビデオカメラ本体２００の光軸方向に押圧する。これにより、固定部１６０ｄは、当て面１１０ｄと当て面２１０ｄとにより強い力で挟まれる。その結果、当て面１１０ｄと、固定部１６０ｄと、当て面２１０ｄとの間に隙間（ガタ）がほとんどなくなり、３Ｄコンバージョンレンズ１００はビデオカメラ本体２００に対して光軸方向に精度良く固定される。
【００２２】
本実施の形態において、３Ｄコンバージョンレンズ１００をビデオカメラ本体２００に対して光軸方向に精度良く固定する必要がある理由について説明する。３Ｄコンバージョンレンズ１００は、３Ｄ用の画像を撮像素子上に結像する。３Ｄコンバージョンレンズ１００は、２系統の光学系から入ってくる異なる画像（左目用の画像と右目用の画像）をそれぞれ撮像素子上の所定の位置に結像する必要がある。３Ｄコンバージョンレンズ１００のビデオカメラ本体２００に対する固定が精度良く行われると、２系統の光学系から入ってくる異なる画像はほぼ所定の位置に結像される。
【００２３】
仮に、それぞれの画像が所定の位置から大きく外れたとする。この状態で撮像された画像を３Ｄ画像対応テレビで鑑賞すると、立体感が出すぎたり、出なかったりしてしまう。従って、３Ｄコンバージョンレンズ１００は、ビデオカメラ本体２００に対して精度良く固定される必要がある。そこで、本実施の形態においては、３Ｄコンバージョンレンズ１００をビデオカメラ本体２００に対して光軸方向に精度良く固定している。
【００２４】
〔５．本発明との対応関係〕
トップケース１６０、レンズユニット１３０、取付ピース１２０、ボトムケース１４０、フロントケース１５０からなる構成は、本発明の筐体の一例である。取付ネジ１１０は、本発明の取付部の一例である。ネジ部１１０ａは、本発明の第１ネジ部の一例である。ネジ部２１０ａは、本発明の第２ネジ部の一例である。凸部１２０ｂ、凸部１２０ｃは、本発明において３Ｄコンバージョンレンズに設けられた凸部若しくは凹部の一例である。凹部２１０ｂ、凹部２１０ｃは、本発明においてビデオカメラ本体２００に設けられた凸部若しくは凹部の一例である。
【００２５】
〔６．まとめ〕
このように、本実施の形態にかかる３Ｄコンバージョンレンズ１００は、光学系を有するビデオカメラ本体２００に取り付け可能な３Ｄコンバージョンレンズであって、トップケース１６０、レンズユニット１３０等からなる構成と、トップケース１６０、レンズユニット１３０等からなる構成をビデオカメラ本体２００に取り付けるための取付ネジ１１０と、を備え、取付ネジ１１０は、ビデオカメラ本体２００に対して、トップケース１６０、レンズユニット１３０等からなる構成をビデオカメラ本体２００の光学系の光軸方向に押圧する。
【００２６】
これにより、３Ｄコンバージョンレンズ１００はビデオカメラ本体２００に対して精度良く固定される。
【００２７】
また、本実施の形態にかかる３Ｄコンバージョンレンズ１００において、取付ネジ１１０はネジ部１１０ａを有し、ビデオカメラ本体２００はネジ部１１０ａに係合可能なネジ部２１０ａを有し、取付ネジ１１０は、ネジ部１１０ａをネジ部２１０ａに対して係合することにより、ビデオカメラ本体２００に対して、トップケース１６０、レンズユニット１３０等からなる構成をビデオカメラ本体２００の光学系の光軸方向に押圧するようにしてもよい。
【００２８】
これにより、３Ｄコンバージョンレンズ１００はビデオカメラ本体２００に対して精度良く固定される。
【００２９】
また、本実施の形態にかかる３Ｄコンバージョンレンズ１００は、さらに、ビデオカメラ本体２００に対して自装置を取り付ける取り付け面に、凸部１２０ｂ及び／若しくは凸部１２０ｃを備え、凸部１２０ｂ及び／若しくは凸部１２０ｃは、ビデオカメラ本体２００に設けられた凹部２１０ｂ及び／若しくは凹部２１０ｃに係合するようにしてもよい。
【００３０】
これにより、３Ｄコンバージョンレンズ１００をビデオカメラ本体２００に取り付けた際、３Ｄコンバージョンレンズ１００とビデオカメラ本体２００との光軸に対する回転方向の角度位置が決まる。
【００３１】
また、本実施の形態にかかる３Ｄコンバージョンレンズ１００は、さらに、少なくとも凸部１２０ｂ及び凸部１２０ｃを備え、凸部１２０ｂと凸部１２０ｃとは異なる形状であるようにしてもよい。
【００３２】
これにより、使用者が３Ｄコンバージョンレンズ１００をビデオカメラ本体２００に対して上下逆さまに取り付けることがない。
〔他の実施の形態〕
実施の形態１においては、ネジ部１１０ａをネジ部２１０ａに対してネジ嵌合させることにより、当て面１１０ｄが当て面２１０ｄをビデオカメラ本体２００の光軸方向に押圧するような構成とした。しかしながら、必ずしもこのような構成である必要はない。例えば、図７に示すような構成であってもよい。つまり、取付ピン１７０ａを取付孔２２０ａに係合させ、３Ｄコンバージョンレンズ１００をビデオカメラ本体２００に対して、ビデオカメラ本体２００の光軸方向に押圧するような構成であってもよい。要するに、取付部材が筐体を撮像装置に対して撮像装置の光軸方向に押圧するような構成であればよい。
【００３３】
また、実施の形態１においては、ビデオカメラ用の３Ｄコンバージョンレンズを例示したが、必ずしもこれには限定されない。例えば、スチルカメラ用の３Ｄコンバージョンレンズにも適用できる。
【産業上の利用可能性】
【００３４】
本発明は、ビデオカメラやスチルカメラ等に取り付け可能な３Ｄコンバージョンレンズに適用できる。
【符号の説明】
【００３５】
１００    ３Ｄコンバージョンレンズ
２００    ビデオカメラ本体
１１０    取付ネジ
２１０    前枠
１１０ａ    ネジ部
２１０ａ    ネジ部
１２０ｂ    凸部
１２０ｃ    凸部
２１０ｂ    凹部
２１０ｃ    凹部
１２０    取付ピース
１３０    レンズユニット
１４０    ボトムケース
１５０    フロントケース
１６０    トップケース
１１０ｄ    当て面
２１０ｄ    当て面
１６０ｄ    固定部
【図１】
2013200321.tif 000003
【図２】
2013200321.tif 000004
【図３】
2013200321.tif 000005
【図４】
2013200321.tif 000006
【図５】
2013200321.tif 000007
【図６】
2013200321.tif 000008
【図７】
2013200321.tif 000009